(57)【要約】【課題】本流搬送路に沿って紙幣送出具が移動可能に設けられた紙幣搬送ユニットにおいて、一定の紙幣引き込み動作を可能にするとともに紙幣識別装置のエラー発生を解消する。【解決手段】紙幣Ｐの本流搬送路Ｓに沿って二対のプーリ１，２が並んで配置され、一対のプーリ１には無端ベルト３が掛架され、もう一対のプーリ２には無端ベルト４が掛架されている。紙幣Ｐは無端ベルト３，４の間に挟持されながら、下流へ搬送される。本流搬送路Ｓに沿って、無端ベルト３，４の外側に隣接して配置され、無端ベルト３，４の下流の本流搬送路Ｓに合流するように形成された紙幣引き込み通路５，６が形成されている。紙幣引き込み通路５，６に沿って移動可能であって、紙幣識別装置７Ａ，７Ｂを通された紙幣を紙幣引き込み通路５，６へ送出する紙幣送出具８Ａ，８Ｂが設けられている。【選択図】  図１
2007128142.tif 000002
【特許請求の範囲】
【請求項１】
本流搬送路に沿って配置された二対の第１の回転体と、各対の第１の回転体に掛架され、紙幣を挟持しながら、該紙幣を前記本流搬送路の上流から下流へ搬送する一対の第１の無端ベルトと、前記本流搬送路に沿って、かつ前記第１の無端ベルトの外側に隣接して配置され、前記第１の無端ベルトの下流の本流搬送路に合流するように形成された紙幣引き込み通路と、前記紙幣引き込み通路に沿って移動可能に設けられ、紙幣識別装置を通された紙幣を前記紙幣引き込み通路へ送出する紙幣送出具とを備えることを特徴とする紙幣搬送ユニット。
【請求項２】
前記紙幣引き込み通路に沿って配置された一対の第２の回転体と、前記一対の第２の回転体に掛架され、前記紙幣引き込み通路内に入り込んだ第２の無端ベルトを備えることを特徴とする請求項１に記載の紙幣搬送ユニット。
【請求項３】
前記紙幣送出具は、前記紙幣引き込み通路に連通すると共に下流方向
へ湾曲した紙幣送出通路と、この紙幣送出通路の送出側の端部に出没自在な紙幣送出
用回転体とを備え、紙幣引き込み動作時には、前記紙幣送出用回転体が前記第２の無
端ベルトに当接して、前記紙幣送出通路を通過して来た紙幣を挟持しながら、前記紙
幣引き込み通路に送出することを特徴とする請求項２に記載の紙幣搬送ユニット。
【発明の詳細な説明】
【技術分野】
【０００１】
本発明は、パチンコホール等の遊技店舗に設置される紙幣搬送ユニットに関する。
【背景技術】
【０００２】
パチンコホール等の遊技店舗において、遊技機（パチンコ台やスロットマシーン）と台間機（パチンコ玉貸機やメダル貸機）とが交互に背合わせで並設されて島を形成している。そして、島の内側の隙間に、島の長手方向に沿って紙幣搬送装置が配設されている。
【０００３】
この紙幣搬送装置は、台間機に対応して設けられた紙幣搬送ユニットを複数連結して本流搬送路を構成している。各紙幣搬送ユニットには、紙幣識別装置（ビルバリー）を通された紙幣を前記本流搬送路に合流させるための紙幣送出具が取り付けられている。  前記紙幣送出具は、紙幣搬送ユニットに固定されていたため、隣接する紙幣搬送ユニットの紙幣送出具間のピッチも固定されていた。（特許文献１，２参照）
【０００４】
一方、台間機のピッチは、例えば遊技機の種類に応じて、遊技店舗毎に異なるため、前記紙幣送出具間のピッチも台間機のピッチに合わせる必要が生じる。そこで、紙幣搬送装置のメーカー側では、遊戯店舗からの注文を受けてから、紙幣送出具間のピッチの仕様に合わせて、多品種の紙幣搬送ユニットの設計・製造を行わなければならないという問題があった。
【０００５】
そこで、近年では紙幣送出具を本流搬送路に沿って移動可能に構成することで、紙幣搬送ユニットの生産性の向上が図られている。そのような紙幣搬送ユニットについて、図６を参照して説明する。
【０００６】
この紙幣搬送ユニットでは、紙幣Ｐの本流搬送路Ｓに沿って二対のプーリ１０１，１０２が並んで配置され、一対のプーリ１０１には１本の無端ベルト１０３が掛架され、もう一対のプーリ１０２にはもう１本の無端ベルト１０４が掛架されている。二対のプーリ１０１，１０２は互いに逆方向に回転駆動され、本流搬送路Ｓの上流から搬送されて来る紙幣は、無端ベルト１０３，１０４の間に挟持されながら、下流へ搬送される。そして、紙幣送出具１０５は本流搬送路Ｓに沿って移動可能に構成されている。紙幣送出具１０５には紙幣識別装置１１０が連結されており、紙幣識別装置１１０を通された紙幣Ｐは、一対の無端ベルト１０３，１０４にその上流側から巻き込まれるようにして本流搬送路Ｓに合流する。
【０００７】
この紙幣搬送ユニットを用いれば、遊技店舗において紙幣搬送装置を設置する際に、紙幣送出具間１０５のピッチを台間機のピッチに合わせて調整することが可能となるので、紙幣搬送装置のメーカー側では紙幣搬送ユニットの設計・製造仕様を統一して生産性向上を図ることができる。
【特許文献１】特開２００２−８３３４１号公報
【特許文献１】特開２００２−１１４３９８号公報
【発明の開示】
【発明が解決しようとする課題】
【０００８】
図６の紙幣搬送装置では、紙幣送出具１０５の位置によっては紙幣Ｐにかかる保持力が異なり、本流搬送路Ｓへの一定の引き込み動作ができないという問題があった。すなわち、紙幣送出具１０５が一対の無端ベルト１０３，１０４から遠い所に位置する場合には、紙幣Ｐは紙幣識別装置１１０の一対のローラ１１１，１１１の間にだけ保持されながら、本流搬送路Ｓへ送出されるのに対して、紙幣送出具１０５が一対の無端ベルト１０３，１０４に近い所に位置する場合には、紙幣Ｐは紙幣識別装置１１０の一対のローラ１１１，１１１で保持されると共に、その先端部分は一対のローラ１０１，１０２の間で保持されながら、本流搬送路Ｓへ送出される。
【０００９】
特に、紙幣送出具１０５が一対の無端ベルト１０３，１０４に近い所に位置する場合には、紙幣識別装置１１０のエラーが生じることがあった。すなわち、紙幣識別装置１１０側の一対のローラ１１１，１１１の回転を止めて紙幣Ｐをその間に保持している状態において、紙幣Ｐの先端部が一対のローラ１０１，１０２へ到達すると、ローラ１１１，１１１の保持力が弱ければ、紙幣Ｐは一対のローラ１０１，１０２に巻き込まれる。すると、紙幣識別装置１１０側では紙幣Ｐを停止状態で保持しなければならないのに、紙幣Ｐが送出され不在状態となるため、エラーが生じるのである。
【課題を解決するための手段】
【００１０】
本発明の紙幣搬送ユニットは上述した課題に鑑みてなされたものであり、本流搬送路に沿って配置された二対の第１の回転体と、各対の第１の回転体に掛架され、紙幣を挟持しながら、該紙幣を前記本流搬送路の上流から下流へ搬送する一対の第１の無端ベルトと、前記本流搬送路に沿って、かつ前記第１の無端ベルトの外側に隣接して配置され、前記第１の無端ベルトの下流の本流搬送路に合流するように形成された紙幣引き込み通路と、前記紙幣引き込み通路に沿って移動可能に設けられ、紙幣識別装置を通された紙幣を前記紙幣引き込み通路へ送出する紙幣送出具とを備えることを特徴とするものである。
【発明の効果】
【００１１】
本発明の紙幣搬送ユニットによれば、本流搬送路とは別個に、本流搬送路の下流に合流する紙幣引き込み通路を設け、この紙幣引き込み通路に沿って紙幣搬送具を移動可能に設けたので、紙幣は第１の無端ベルトに巻き込まれることが無くなり、紙幣識別装置による一定の保持力が加わることで、本流搬送路への一定の引き込み動作が可能になるとともに、上述したような紙幣識別装置のエラー発生が解消される。
【発明を実施するための最良の形態】
【００１２】
次に、本発明の実施形態に係る紙幣搬送ユニットについて詳細に説明する。まず、本発明の基本原理について図１を参照して説明する。
【００１３】
紙幣Ｐの本流搬送路Ｓに沿って二対のプーリ１，２が並んで配置され、一対のプーリ１には１本の無端ベルト３が掛架され、もう一対のプーリ２にはもう１本の無端ベルト４が掛架されている。二対のプーリ１，２は互いに逆方向に回転駆動され、本流搬送路Ｓの上流から搬送されて来る紙幣Ｐは、無端ベルト３，４の間に挟持されながら、下流へ搬送される。本流搬送路Ｓに沿って、かつ無端ベルト３，４のそれぞれ外側に隣接して配置され、無端ベルト３，４の下流の本流搬送路Ｓに合流地点Ｇで合流するように形成された紙幣引き込み通路５，６が形成されている。
【００１４】
そして、紙幣引き込み通路５に沿って移動可能であって、紙幣識別装置７Ａを通された紙幣を紙幣引き込み通路５へ送出する紙幣送出具８Ａが設けられている。同様に、紙幣引き込み通路６に沿って移動可能であって、紙幣識別装置７Ｂを通された紙幣Ｐを紙幣引き込み通路６へ送出する紙幣送出具８Ｂが設けられている。
【００１５】
本発明によれば、本流搬送路Ｓとは別個に、本流搬送路Ｓの下流に合流する紙幣引き込み通路５，６を設け、この紙幣引き込み通路５，６のそれぞれに沿って紙幣搬送具８Ａ，８Ｂを移動可能に設けたので、紙幣Ｐは無端ベルト３，４に巻き込まれることが無くなり、紙幣識別装置７Ａ、７Ｂにそれぞれ内蔵されたローラ９Ａ，９Ｂによる一定の保持力が加わることで、本流搬送路Ｓへの一定の引き込み動作が可能になるとともに、紙幣識別装置７Ａ，７Ｂのエラー発生が解消される。
【００１６】
次に、本発明の実施形態に係る紙幣搬送ユニットについて、図２〜図５を参照しながら更に詳しく説明する。図２はこの紙幣搬送ユニットの正面図、図３はその平面図、図４はその右側面図、図５は紙幣搬送ユニットの内部構造を示す平面図である。
【００１７】
紙幣Ｐの本流搬送路Ｓに沿って二対の第１のプーリ１１，１２が並んで配置され、一対の第１のプーリ１１には１本の第１の無端ベルト１３が掛架され、もう一対の第１のプーリ１２にはもう１本の第１の無端ベルト１４が掛架されている。二対の第１のプーリ１１，１２は互いに逆方向に回転駆動され、本流搬送路Ｓの上流から搬送されて来る紙幣Ｐは、第１の無端ベルト１３，１４の間に挟持されながら、下流へ搬送される。また、本流搬送路Ｓに沿って、かつ第１の無端ベルト１３，１４のそれぞれ外側に隣接して配置され、第１の無端ベルト１３，１４の下流の本流搬送路Ｓに合流地点Ｇで合流するように形成された紙幣引き込み通路１５，１６が形成されている。
【００１８】
また、紙幣引き込み通路１５に沿って一対の第２のプーリ１７が配置され、この一対の第２のプーリ１７に第２の無端ベルト１８が掛架されている。第２の無端ベルト１８の外側ベルトは紙幣引き込み通路１５内に入り込んでいる。同様に、紙幣引き込み通路１６に沿って一対の第２のプーリ１９が配置され、この一対の第２のプーリ１９に第２の無端ベルト２０が掛架されている。第２の無端ベルト２０の外側ベルトは紙幣引き込み通路１６内に入り込んでいる。
【００１９】
そして、紙幣引き込み通路１５に沿って移動可能であって、紙幣識別装置を通された紙幣Ｐを紙幣引き込み通路１５へ送出する紙幣送出具３０Ａが設けられている。同様に、紙幣引き込み通路１６に沿って移動可能であって、紙幣識別装置を通された紙幣Ｐを紙幣引き込み通路１６へ送出する紙幣送出具３０Ｂが設けられている。
【００２０】
紙幣送出具３０Ａには、紙幣引き込み通路１５に連通すると共に下流方向へ湾曲した紙幣送出通路３１Ａと、この紙幣送出通路３１Ａの紙幣送出側の端部に出没自在な紙幣送出用ローラ３２Ａが設けられている。また、紙幣送出用ローラ３２Ａに第２の無端ベルト１８を間に挟んで対向し、第２の無端ベルト１８に当接した対向ローラ３４Ａが設けられている。紙幣送出用ローラ３２Ａは、固定軸３３Ａの中心として回転可能に取り付けられており、紙幣Ｐの引き込み動作時には、紙幣送出用ローラ３２Ａが第２の無端ベルト１８に当接する。
【００２１】
これにより、紙幣送出通路３１Ａを通過して来た紙幣Ｐは第２の無端ベルト１８と紙幣送出用ローラ３２Ａの間に挟持されながら、紙幣引き込み通路１５Ｂに送出される。紙幣引き込み通路１５Ｂに送出された紙幣Ｐは第２の無端ベルト１８によって下流へ搬送されてゆき、紙幣引き込み通路１５の終端部（合流地点Ｇの手前）に設けられた羽根車３５によって合流地点Ｇから本流搬送路Ｓへ叩き出される。
【００２２】
同様に、紙幣送出具３０Ｂには、紙幣引き込み通路１６に連通すると共に下流方向へ湾曲した紙幣送出通路３１Ｂ、この紙幣送出通路３１Ｂの紙幣送出側の端部に出没自在な紙幣送出用ローラ３２Ｂ、対向ローラ３４Ｂが設けられており、紙幣送出具３０Ａと同様の動作を行う。図５では、紙幣送出用ローラ３２Ｂは紙幣Ｐの引き込み動作停止状態となっている。
【００２３】
なお、図２及び図４に示すように、紙幣搬送ユニットの下流側の端部にはローラの駆動源であるモータ４０が取り付けられており、駆動伝達ギア４１〜４７を介して、各種ローラ、羽根車３５を回転駆動している。
【００２４】
上述の紙幣搬送ユニットによれば、本流搬送路Ｓとは別個に、本流搬送路Ｓの下流に合流する紙幣引き込み通路１５，１６を設け、この紙幣引き込み通路１５，１６のそれぞれに沿って紙幣送出具３０Ａ，３０Ｂを移動可能に設けたので、紙幣Ｐは無端ベルト１３，１４に巻き込まれることが無くなり、紙幣送出用ローラ３２Ａ，３２Ｂによる一定の保持力が加わることで、本流搬送路Ｓへの一定の引き込み動作が可能になるとともに、紙幣識別装置のエラー発生も解消される。
【図面の簡単な説明】
【００２５】
【図１】本発明の実施形態に係る紙幣搬送ユニットの基本原理を説明する平面図である。
【図２】本発明の実施形態に係る紙幣搬送ユニットの正面図である。
【図３】本発明の実施形態に係る紙幣搬送ユニットの平面図である。
【図４】本発明の実施形態に係る紙幣搬送ユニットの右側面図である。
【図５】本発明の実施形態に係る紙幣搬送ユニットの内部構造を示す平面図である。
【図６】従来の紙幣搬送ユニットの平面図である。
【符号の説明】
【００２６】
１、２  プーリ      ３、４  無端ベルト      ５、６  紙幣引き込み通路
７Ａ、７Ｂ  紙幣識別装置            ８Ａ、８Ｂ  紙幣送出具
９Ａ、９Ｂ  ローラ                  １１、１２  第１のプーリ
１３、１４  第１の無端ベルト        １５、１６  紙幣引き込み通路
１７、１９  第２のプーリ            １８、２０  第２の無端ベルト
３０Ａ、３０Ｂ  紙幣送出具          ３１Ａ、３１Ｂ  紙幣送出通路
３２Ａ、３２Ｂ  紙幣送出用ローラ    ３３Ａ、３３Ｂ  固定軸
３４Ａ、３４Ｂ  対向ローラ
３５  羽根車        ４０  モータ      ４１〜４７  駆動伝達ギア    
Ｇ  合流地点        Ｐ  紙幣          Ｓ  本流搬送路
【図１】
2007128142.tif 000003
【図２】
2007128142.tif 000004
【図３】
2007128142.tif 000005
【図４】
2007128142.tif 000006
【図５】
2007128142.tif 000007
【図６】
2007128142.tif 000008